(57)【要約】本発明は、感染防止用の二重針付き注射器に関し、容器（３０）内の注射液を他端に吸い込むように延長された注入用針棒（３）と、他端に連結された注射器（１０）内の注射液を前記体内に送り出すように延長された注射用針棒（５）と、注射液の注入前、前記注入用針棒（３）を介して前記注射液容器（３０）から吸い込んだ注射液を、前記注射用針棒（５）から前記注射器（１０）の内部に注入するように前記注射器（１０）の筒先端（１５）に結合されるが、注射液の注射前、注入用針棒ハブ（２１）と注射用針棒ハブ（２３）とに分離可能になるハブ筒体（７）と、前記注射液容器（３０）から注射液を吸い込むときに同伴流入する異物をろ過するフィルタ（９）と、を備えることを特徴とし、これにより、注入用針棒の直径を最小化して、感染防止用の二重針付き注射器の使い勝手を大幅に向上させることができ、また、使用前状態で、注射用針棒を注射器胴体内に位置させて、注射用針棒をさらに安全かつ衛生的に保管することができるようになる。【選択図】  図４
2020523122.tif 000002
【特許請求の範囲】
【請求項１】
注射液容器（３０）内に挿入される一端の尖部（１２）から、前記容器（３０）内の注射液を他端に吸い込むように延長された注入用針棒（３）と、
体内に挿入される一端の尖部（１３）から、他端に連結された注射器（１０）内の注射液を前記体内に送り出すように延長された注射用針棒（５）と、
前記注入用針棒（３）の他端と前記注射用針棒（５）の他端とを連結するように中間に形成され、注射液の注入前、前記注入用針棒（３）を介して前記注射液容器（３０）から吸い込んだ注射液を、前記注射用針棒（５）から前記注射器（１０）の内部に注入するように前記注射器（１０）の筒先端（１５）に結合されるが、注射液の注射前、注入用針棒ハブ（２１）と注射用針棒ハブ（２３）とに分離可能になるハブ筒体（７）と、
前記ハブ筒体（７）が分離される部分から前記注入用針棒（３）側に偏って取り付けられ、前記注射液容器（３０）から注射液を吸い込むときに同伴流入する異物をろ過するフィルタ（９）と、
を備えることを特徴とする感染防止用の二重針付き注射器。
【請求項２】
前記ハブ筒体（７）は、注射液の注射前、前記注入用針棒ハブ（２１）と前記注射用針棒ハブ（２３）とに分断可能に一体となることを特徴とする請求項１に記載の感染防止用の二重針付き注射器。
【請求項３】
前記ハブ筒体（７）は、注射液の注射前に分離可能に、前記注入用針棒ハブ（２１）と前記注射用針棒ハブ（２３）が着脱可能に結合されることを特徴とする請求項１に記載の感染防止用の二重針付き注射器。
【請求項４】
前記ハブ筒体（７）が分離される線を中心として、前記注射用針棒（５）側に偏って取り付けられ、注射液の注射時に分離される前記ハブ筒体（７）の注射用針棒ハブ（２３）の内周面に残留する異物が、前記注射用針棒（５）を通過しないようにろ過する補助フィルタ（１１）を備えることを特徴とする請求項１乃至請求項３のいずれか一項に記載の感染防止用の二重針付き注射器。
【発明の詳細な説明】
【技術分野】
【０００１】
本発明は、感染防止用の二重針付き注射器に係り、より詳しくは、二つの針棒を分離可能な一体として提供することにより、注射器針の感染を防止するとともに、注射液容器の注射液を体内に注射するまでの注射過程の全体において注射液に流入可能な異物を効果的に除去することのできる感染防止用の二重針付き注射器に関する。
【背景技術】
【０００２】
一般に、注射器は、アンプルやバイアルのような注射液容器に入った注射液を抜き取って患者の皮膚などの体内に注射する医療装備であって、このように注射器に入った注射液を体内に注射可能なように、注射器胴体の先端には注射器針が取り付けられる。
【０００３】
ところが、このような注射液溶液は、アンプルの場合、ガラスからなる首部を力でカットして開口するので、首部を力でカットするときに生じるガラス片などがアンプルの胴体内に流入し、或いは、バイアルの場合、注射器針がゴム栓を刺通するとき、栓をなすゴムが注射器針内に混入するという問題点があった。
【０００４】
このような問題点を解決するために、従来は、図１に示すようなフィルタニードル一体型注射器（特許文献１参照）が提案されている。
【０００５】
この種の注射器は、図１に図面符号１０１として示すように、注射ニードル部１１０と、フィルタニードル部１３０と、を備えて構成され、フィルタニードル保護キャップ１５０をさらに備える。ここで、注射ニードル部１１０は、注射器シリンダ１００に締め付けられる注射針ハブ１１１と、この注射針ハブ１１１に締め付けられる注射針１１２と、を有し、フィルタニードル部１３０は、注射針ハブ１１１が締め付けられるフィルタニードルハブ１３１と、このフィルタニードルハブ１３１と連通するフィルタ針１３２と、このフィルタ針１３２の注入空間に設置されるフィルタ１３３と、を有する。
【０００６】
したがって、注射器１０１は、アンプルやバイアルのような注射液容器の注射液をシリンダ１００内に入れようとするとき、キャップ１５０を開放し、フィルタ針１３２をアンプルやバイアルの内部に挿入する。その後、押し棒を引っ張り、シリンダ１００の内部に注射液容器内の注射液を吸い込む。
【０００７】
ところが、アンプルの場合は、開口時、ガラスからなる首部を外力でカットして開口するので、ガラス片などの異物が注射液に落下し、バイアルの場合は、フィルタ針１３２がゴム栓を刺通するとき、フィルタ針１３２内にゴム屑のような異物が混入するので、このように注射液を吸い込むとき、各種の異物が注射液と一緒に吸い上げられるが、フィルタ１３３により全てろ過されるようになる。したがって、注射時は、フィルタ針１３２を除去し、注射針１１２を患部などの体内に挿入すればよい。
【０００８】
しかしながら、この種の従来の注射器１０１は、注射針１１２とフィルタ針１３２が同方向に配置されて重なっているので、フィルタ針１３２の直径が大きくなるほかなく、このため、フィルタ針１３２がバイアルのゴム栓を刺通するとき、抵抗が大きくなるので、使い勝手が極めて悪いという問題点があった。
【０００９】
また、注射針１１２がシリンダ１００の先端から長く延長されているので、フィルタ針１３２だけでは保護が足りず、このため、保護キャップ１５０を加えることにより、使用時に保護キャップ１５０を除去しなければならず、使い勝手が悪く、部品追加によりコストが増加するという問題点もあった。
【００１０】
また、注射液の注入のため、フィルタ針１３２を注射液容器に入れる前に、シリンダ１００を調整して、注射針１１２をフィルタ針１３２内で定位置に保たなければならないことから、これもまた、使用上の不便さをもたらすという問題点があった。
【００１１】
一方、図２において図面符号２０１として示されたフィルタ注射器（特許文献２参照）は、筒先端２０３内にフィルタ２１１と逆止め弁２１３が取り付けられるので、図面上側に示すように、注射液容器から注射液を注射器に注入するときは、筒先端２０３と逆止め弁２１３の内側端２１５との間に隙間ができ、異物と一緒に注射液を矢印方向に吸い込み、注射器内に注入するようになる。これに対して、図面下側に示すように、注射器内に注入された注射液を体内に注射するときは、逆止め弁２１３の内側端２１５が筒先端２０３の内周面に密着し、逆止め弁２１３の外側端２１７が開放されながら、注射液を矢印方向に送り出す。このとき、注射器内部の異物は、フィルタ２１１によりろ過される。
【００１２】
このように、フィルタ注射器２０１では、注射液を注射するとき、注射液に含まれた異物がフィルタ２１１によりろ過されるが、複雑でかつ精巧な形態の逆止め弁２１３やフィルタ２１１を部品として用いることから、コストが増加するという問題点があった。
【００１３】
また、図２の上側に示すように、注射器の内部に注射液を注入した後、注射液容器から注射針を引き抜いてから注射針が体内に挿入されるまでは、空気中に露出し続けるので、空気感染や接触感染が生じる可能性が高くなり、衛生管理性能が低下するという問題点があった。
【００１４】
また、上記した特許文献２において、フィルタを用いる基本的な形態として開示されたフィルタ注射器は、図３に図面符号３０１として示すように、注射器筒先端３０３と注射針ハブ３０５との間に、すなわち、筒先端３０３の先端に位置するように、ハブ３０５の内部にフィルタ３１１が取り付けられるので、保護キャップ３２０を除去し、注射針３１０を注射液容器に挿入して、注射液を注射器に注入するとき、注射液と一緒に吸い込まれる異物は、全てフィルタ３１１によりろ過され、注射器内には注射液だけが注入される。以降、注射液を注射するときは、注入に用いられた注射針３１０を廃棄し、新たな注射針を用いることにより、安全に注射できるようになる。
【００１５】
しかしながら、この場合は、１回の注射のため、２つの注射針が消耗されるので、施術費用が増加し、資源浪費が引き起こされるという問題点があった。
【先行技術文献】
【特許文献】
【００１６】
【特許文献１】韓国登録特許第１０−１４３５８９８号公報
【特許文献２】韓国登録特許第１０−１３５４４５１号公報
【発明の概要】
【発明が解決しようとする課題】
【００１７】
本発明は、上記問題点に鑑みなされたものであり、注射液を注入するときに用いる針と、注射液を注射するときに用いる針とを２つに分けて別途に備えるが、保護のための構造物を加えなくても、注射針をさらに安定的に保護できることを目的とする。
【００１８】
また、注射液注入用の針棒と注射液注射用の針棒を互いに重ならないように別途に配置することにより、注射液注入用の針棒を薄く作り、それにより、注射用針棒の挿入力を高め、注射器の使用性能及び便利性を向上させることを他の目的とする。
【００１９】
また、注入用針棒と注射用針棒の固定方式や固定部位を単純化・多辺化させることにより、注射器胴体に対する注射器針の固定力を高めることをまた他の目的とする。
【００２０】
また、注射用針棒の外部への露出時間を最少化し、注射器針の病院内感染などの外部露出による感染を防止することにより、注射施術の安全性を高めることをさらに他の目的とする。
【００２１】
また、注射器針のろ過構造を簡素化・合理化することにより、注射器針のコストを低減し、注射に要するコストを減らし、使用後に廃棄される注射器針の数量を減らし、注射器針、さらには注射器と関連した諸費用を節減することをさらに他の目的とする。
【課題を解決するための手段】
【００２２】
上記目的を達成するための本発明は、注射液容器内に挿入される一端の尖部から、前記容器内の注射液を他端に吸い込むように延長された注入用針棒と、体内に挿入される一端の尖部から、他端に連結された注射器内の注射液を前記体内に送り出すように延長された注射用針棒と、前記注入用針棒の他端と前記注射用針棒の他端とを連結するように中間に形成され、注射液の注入前、前記注入用針棒を介して前記注射液容器から吸い込んだ注射液を、前記注射用針棒から前記注射器の内部に注入するように前記注射器の筒先端に結合されるが、注射液の注射前、注入用針棒ハブと注射用針棒ハブとに分離可能になるハブ筒体と、前記ハブ筒体が分離される部分から前記注入用針棒側に偏って取り付けられ、前記注射液容器から注射液を吸い込むときに同伴流入する異物をろ過するフィルタと、を備える感染防止用の二重針付き注射器を提供する。
【００２３】
また、前記ハブ筒体は、注射液の注射前、前記注入用針棒ハブと前記注射用針棒ハブとに分断可能に一体となることが好ましい。
【００２４】
また、前記ハブ筒体は、注射液の注射前に分離可能に、前記注入用針棒ハブと前記注射用針棒ハブが着脱可能に結合されることが好ましい。
【００２５】
また、前記ハブ筒体が分離される線を中心として、前記注射用針棒側に偏って取り付けられ、注射液の注射時に分離される前記ハブ筒体の注射用針棒ハブの内周面に残留する異物が、前記注射用針棒を通過しないようにろ過する補助フィルタを備えることが好ましい。
【発明の効果】
【００２６】
本発明に係る感染防止用の二重針付き注射器によれば、注射液を注入するときに用いる針と、注射液を注射するときに用いる針、すなわち、注入用針棒と注射用針棒が対向して配置されるので、注入用針棒の直径を最小化して、注入用針棒を注射液容器の蓋に挿入するとき、挿入動作をさらに容易に行うことができ、よって、注射器の使い勝手を向上させるようになる。
【００２７】
また、このように注入用針棒と注射用針棒が対向して配置されるので、使用前の状態において、注射用針棒を注射器の胴体内に位置させ、注射用針棒を病院内の空気感染や接触感染から、より安全でかつ清潔に保護・保管することができる。
【００２８】
また、注入用針棒ハブと注射用針棒ハブにそれぞれフィルタを配置することができるので、注射液容器から注入用針棒を介して注射液を吸い込むときと、注射器胴体に収容された注射液を体内に注射するとき、２回にわたって注射液中の異物をろ過することができるので、異物へのろ過性能をさらに向上させるようになる。
【００２９】
また、このようなろ過性能を有するにもかかわらず、注射器針の内部構造を簡潔にすることにより、注射器針のコストを低減し、注射器針を追加使用しなくても、少ないコストで注射施術を行うことができるので、注射器と関連した諸費用を大幅に軽減させるようになる。
【図面の簡単な説明】
【００３０】
【図１】従来の注射器を示す縦断面図である。
【図２】従来のフィルタ注射器を示す部分拡大図である。
【図３】基本的な形態を有する従来のフィルタ注射器を示す部分拡大図である。
【図４】本発明に係る感染防止用の二重針付き注射器を示す縦断面図である。
【図５】注射用針棒をアンプルに挿入する前の状態を示す図である。
【図６】注射用針棒をバイアルに挿入する前の状態を示す図である。
【図７】ハブ筒体が注射用針棒ハブと注入用針棒ハブとに分離された状態を示す図である。
【図８】注射用針棒ハブを筒先端に挟む前の状態を示す図である。
【図９】注射用針棒ハブを筒先端に挟んだ後の状態を示す図である。
【発明を実施するための形態】
【００３１】
以下、添付された図面を参照して、本発明の一実施形態に係る感染防止用の二重針付き注射器について詳述する。
【００３２】
本発明に係る感染防止用の二重針付き注射器は、図４に示すように、注入用針棒３と、注射用針棒５と、ハブ筒体７と、フィルタ９とに大別されてなる。
【００３３】
ここで、先ず、前記注入用針棒３は、注射器１０の胴体２０内に注射液を吸い込む部分であって、図４に示すように、一般の注射針のように管体をなし、内部に注射液通路が形成され、注射液容器３０内に挿入されるように、一端がハブ筒体７に連結されて長く延長され、他端が、図６に示すように、注射液を吸い込むように、注射液容器３０内に挿入され易いように、尖部１２をなしている。すなわち、注射用針棒５は、図５に示すように、アンプルを注射液容器３０として用いるときは、必ずしも尖部１２が必要なものではないが、図６に示すように、バイアルを注射液容器３０として用いるときは、尖部１２が必ず必要となる。
【００３４】
前記注射用針棒５は、一般の注射器の注射針に該当する部分であって、体内に挿入されて注射液を注入するので、図４に示すように、管体をなして長く延長され、内部に注射液通路を形成する。また、注射用針棒５は、体内に挿入されるように、一端が尖部１３をなしており、他端がハブ筒体７に連結される。但し、注射用針棒５は、注射に用いられるまでは、図４に示すように、ハブ筒体７により注射器胴体２０内に挿入された状態を維持するが、注射に用いられるときは、図９に示すように、ハブ筒体７により、注射器胴体２０の先端から延長される。
【００３５】
前記ハブ筒体７は、注射前状態において、注入用針棒３と注射用針棒５との間を連結する部分であって、図４に示すように、注射器胴体２０の筒先端１５に着脱可能に挟まれるが、このとき、必ず注射用針棒５側の端面が筒先端１５に挟まれるようにしなければ、注射前状態において、注射用針棒５が注射器胴体２０内で保護されるようにすることができない。したがって、ハブ筒体７は、注射液注入前の状態において、注射液容器３０から注入用針棒３を介して吸い込んだ注射液を注射器胴体２０内に入れる。
【００３６】
以降、注射液の注入時、ハブ筒体７は、分離線１７に沿って注入用針棒ハブ２１と注射用針棒ハブ２３とに分離されるので、図８及び図９に示すように、注射用針棒ハブ２３が筒先端１５に結合されることにより、注射用針棒５が体内に挿入されたとき、注射器胴体２０に収容された注射液を注射用針棒５から体内に注入する。このとき、ハブ筒体７は、多様な方式で分離可能に形成されてもよいが、分離方式の一例として、図７に示すように、ハブ筒体７を外力により、注入用針棒ハブ２１と注射用針棒ハブ２３とに分断する方式が挙げられる。この場合、ハブ筒体７は、当然、分離線１７に沿って分断されるため、分離線１７は破断され易いように加工される。
【００３７】
また他のハブ筒体７の分離方式として、図示していないが、注入用針棒ハブ２１と注射用針棒ハブ２３をネジ部などを介して着脱可能に結合する方式が挙げられる。すなわち、例えば、注射用針棒ハブ２３の内周面には雌ネジ部を、これに対して、注入用針棒ハブ２１の外周面には雄ネジ部を形成し、これらの螺合により、注射用針棒ハブ２３と注入用針棒ハブ２１とを着脱可能に分離させることもできる。
【００３８】
前記フィルタ９は、注入用針棒３から注射液を吸い込むとき、注射液容器３０から注射液と同伴して流入する異物をろ過する手段であって、図４に示すように、ハブ筒体７が分離される分離線１７を中心として注入用針棒３側に偏って、すなわち、注入用針棒ハブ２１側に偏って、ハブ筒体７内に取り付けられるので、図５または図６に示すように、注入用針棒３から注射液を注射器１０内に注入するとき、注射液容器３０内に残留してから、注射液と一緒にハブ筒体７に流入する各種の異物をろ過する役割をする。
【００３９】
一方、ハブ筒体７内には、このようにフィルタ９が設置されているだけでなく、図４などに示すように、補助フィルタ１１が一緒に取り付けられることが好ましいが、この補助フィルタ１１は、注射用針棒５から体内に注射液を注入するとき、注射用針棒ハブ２３に残留していた異物が注射用針棒５に流入しないようにろ過する役割をする。すなわち、注射液が注射器胴体２０内に所定量だけ収容された後、注射のため、ハブ筒体７を分離させるときに生じる異物が注射用針棒ハブ２３に残っても、注射時、注射液が注射用針棒ハブ２３から注射用針棒５に移動する過程中、注射液に残留する異物は全て補助フィルタ１１によりろ過される。このため、補助フィルタ１１は、図４などに示すように、分離線１７を中心として注射用針棒５側に偏って、すなわち、注射用針棒ハブ２３側に偏ってハブ筒体７内に取り付けられる。
【００４０】
以下、本発明の好適な実施形態に係る感染防止用の二重針付き注射器の作用について説明する。
【００４１】
本発明に係る感染防止用の二重針付き注射器により、身体などの体内に注射液を注射するためには、先ず、図５または図６に示すように、アンプルやバイアルのような注射液容器３０に注入用針棒３を挿入する。このとき、アンプルは、図５に示すように、上端の首部が切断されて開口するので、切断時の破片が注射液に入るようになり、バイアルは、図６に示すように、注射用針棒５の尖部１３がゴム栓を刺通して入るまでに、尖部１３の内側にゴム屑が挟み込まれるようになる。
【００４２】
このように注射用針棒５を注射液容器３０に挿入した状態で、注射器胴体２０に対して押し棒（図示せず）を引き抜くと、注射液容器３０内の注射液が注入用針棒３からハブ筒体７と注射用針棒５を経て胴体２０内に吸い込まれる。このとき、アンプルに浮遊し、または注入用針棒３の尖部１２に挟み込まれていた異物は、フィルタ９により全てろ過される。
【００４３】
このようにして、注射液容器３０内の注射液が全て注射器胴体２０内に収容されると、図７に示すように、分離線１７に沿ってハブ筒体７を二分する。このとき、ハブ筒体７は、図示のように一体となった場合、分離線１７に沿って、注入用針棒ハブ２１と注射用針棒ハブ２３とに分断され、図示していないが、注入用針棒ハブと注射用針棒ハブが螺合された場合、分離線１７に沿って螺合が解除される。但し、このようにハブ筒体７を分離する過程で、注射用針棒ハブ２３の内部には、ハブ筒体７の分離時に生じたアンプルの破片のような各種の異物が残留することになる。
【００４４】
それから、使用者は、図８に示すように、筒先端１５から注射用針棒ハブ２３を抜き取り、注射用針棒５と注射用針棒ハブ２３の方向を反対側に回し、図９に示すように、注射用針棒ハブ２３を筒先端１５に結合する。このとき初めて空気中に露出する注射用針棒５は、注射液の注入後も、長時間注射器内に保管されるので、長時間露出による空気感染や接触感染の恐れなく安全かつ衛生的に用いるようになる。
【００４５】
このようにして注射準備が完了すると、使用者は、注射器胴体２０を手に持ち、患者の皮膚などの体内に注射用針棒５を刺す。続いて、押し棒を胴体２０の内側に押し込むと、胴体２０内に収容された注射液が注射用針棒５から体内に注入されるが、このとき、注射用針棒ハブ２３の内部に残留していた各種の異物は、補助フィルタ１１により全てろ過され、これにより、感染防止用の二重針付き注射器１による一連の注射液の注入動作、すなわち、注射動作が完了する。
【産業上の利用可能性】
【００４６】
本発明に係る感染防止用の二重針付き注射器によれば、注射液を注入するときに用いる針と、注射液を注射するときに用いる針、すなわち、注入用針棒と注射用針棒が対向して配置されるので、注入用針棒の直径を最小化して、注入用針棒を注射液容器の蓋に挿入するとき、挿入動作をさらに容易に行うことができ、よって、注射器の使い勝手を向上させるようになる。
【図１】
2020523122.tif 000003
【図２】
2020523122.tif 000004
【図３】
2020523122.tif 000005
【図４】
2020523122.tif 000006
【図５】
2020523122.tif 000007
【図６】
2020523122.tif 000008
【図７】
2020523122.tif 000009
【図８】
2020523122.tif 000010
【図９】
2020523122.tif 000011
【国際調査報告】
2020523122.tif 000012
2020523122.tif 000013
2020523122.tif 000014
2020523122.tif 000015